(57)【要約】【課題】ノック式繰り出し具の後部にスタイラス等の棒状物の回転繰り出し装置を設けた場合には、この棒状物の使用中に棒状物が大幅に下降したり、過ってノック式繰り出し具をノックしてしまうおそれがあった。【解決手段】軸筒１内に摺動可能に設けられた芯部材２０と、ノック操作によりこの芯部材２０を作動して軸筒１の先端開口から突出させる作動手段と、軸筒１に固設されかつその内側に受けリブ２３を有する尾冠２と、この尾冠２に回転自在に設けられかつ所定位置において、尾冠２の受けリブ２３に受けられるためのノックリブ３６とを備えたノック部材３と、このノック部材３内に回転繰り出しにより上下に摺動するが回転しないようにしてなる棒状物とから構成されてなる。【選択図】        図１
2004322357.tif 000002
【特許請求の範囲】
【請求項１】
軸筒内に摺動可能に設けられた芯部材と、ノック操作によりこの芯部材を作動して軸筒先端開口から突出させる作動手段とからなるノック式繰り出し具において、軸筒の後部に固設された尾冠と、この尾冠に関して長手方向に摺動しかつ回転自在のノック部材と、このノック部材内に設けられかつノック部材の回転操作によりノック部材天面から回転しないで繰り出されるように設けられた棒状物とから構成されてなり、この棒状物のノック部材天面からの突出状態において、棒状物の後退を防止する受け手段を尾冠内に設けたことを特徴とするノック式繰り出し具における回転繰り出し装置。
【請求項２】
ノック部材の外壁にノックリブを設け、かつ前記受け手段としてこのノックリブを受けるための受けリブを、尾冠の内壁のノック部材の回転を可能とする長手方向位置に設けると共に、棒状物がノック部材内に収納された状態において、ノックリブの端面と受けリブの端面とが重ならないように位置決めされ、他方、棒状物がノック部材天面からの突出された状態において、ノックリブの端面と受けリブの端面とが少なくとも部分的に対向するようにに位置決めされ、かつ棒状物に過大押圧力吸収のためのクッション機能を付与せしめるだけのギャップを、受けリブとノックリブとの間に設けてなるノック式繰り出し具における回転繰り出し装置。
【請求項３】
請求項１または２において、ノック部材の外壁にノックリブを設け、かつ前記受け手段としてこのノックリブを受けるための受けリブを、尾冠の内壁のノック部材の回転を可能とする長手方向位置に設けると共に、棒状物がノック部材内に収納された状態において、ノックリブの端面と受けリブの端面とが重ならないように位置決めされ、他方、棒状物がノック部材天面からの突出された状態において、ノックリブの端面と受けリブの端面とが少なくとも部分的に重なり合うように位置決めされてなるノック式繰り出し具における回転繰り出し装置。
【請求項４】
請求項１または２において、ノック部材は内周にめねじを有し、他方、棒状物の大径係合部の外壁にはノック部材のめねじと螺合する螺合手段を有してなり、棒状物は上下に摺動するが回転しないようにしてなるノック式繰り出し具における回転繰り出し装置。
【請求項５】
請求項１または２において、作動手段はノック部材に連結されたノックカムと、このノックカムに連動して尾冠内周に形成された固定カムのカム溝に係合・案内されて回転される回転カムとから構成され、ノックカムは内周にめねじを有し、他方棒状物の係合部の外壁にはノックカムのめねじと螺合する螺合手段を有してなり、ノックカムの上端にはこの螺合手段が挿通するスリットが形成されてなり、棒状物は上下に摺動するが回転しないようにしてなるノック式繰り出し具における回転繰り出し装置。
【請求項６】
請求項１または２において、棒状物は外周におねじを有し、かつ作動手段を構成するノックカムは上部内周にめねじを有すると共にノック部材の内壁に形成されたリブと係止する突起を備えてなり、棒状物は上下に摺動するが回転しないようにしてなるノック式繰り出し具における回転繰り出し装置。
【請求項７】
請求項１または２において、棒状物は底部にノックカムの係止凸部が挿入される係止凹部を有しかつノックカムはノック部材のめねじと螺合する螺合突起を備えてなり、棒状物は上下に摺動するが回転しないようにしてなるノック式繰り出し具における回転繰り出し装置。
【請求項８】
請求項１または２において、棒状物は大径係合部に傾斜カムを有し、他方前記作動手段を構成するノックカムは、この棒状物の傾斜カムと係合する傾斜カムを有し、かつノック部材と棒状物の大径係合部との間にノックスプリングが設けられてなり、棒状物は上下に摺動するが回転しないようにしてなるノック式繰り出し具における回転繰り出し装置。
【請求項９】
請求項１または２において、棒状物はノック部材の側壁に形成された係止孔に係止する係止突起を有してなり、棒状物は上下に摺動するが回転しないようにしてなるノック式繰り出し具における回転繰り出し装置。
【請求項１０】
請求項１において、前記棒状物は後部が中空のスタイラスであり、このスタイラスは大径の係合部におねじを有し、他方、前記作動手段を構成するノックカムの上端にはこのスタイラスのめねじと螺合するおねじを有してなり、棒状物は上下に摺動するが回転しないようにしてなるノック式繰り出し具における回転繰り出し装置。
【請求項１１】
請求項１または２において、ノック部材は内周にめねじを有し、他方棒状物のレフィールホルダが外周にノック部材のめねじと螺合する螺合突起を有してなり、棒状物は上下に摺動するが回転しないようにしてなるノック式繰り出し具における回転繰り出し装置。
【発明の詳細な説明】
【０００１】
【発明の属する技術分野】
この発明は、筆記具、化粧品等のノック式繰り出し具の軸筒後部内に設けられた棒状物を回転操作によって繰り出すノック式繰り出し具における回転繰り出し装置に関する。
【０００２】
【従来の技術】
従来、この種のノック式繰り出し具における回転繰り出し装置においては、スタイラス等の棒状物が突出した状態で、ノック部材が自由に上下動してしまうようになっている。そのため、棒状物の使用中にノック部材に押圧力が加わると、その際棒状物が下降して使用が困難となる。さらに、極端な場合にはノック操作がされて不用意に芯部材が軸筒の前部開口から突出されたり、収納されてしまうおそれがあった。
【０００３】
【特許文献１】
実公平５−４５５１４号公報
【０００４】
【発明が解決しようとする課題】
そこで、この発明は上記のような従来の欠点を解消したものであって、ノック式繰り出し具の後部に設けられて回転繰り出しされるスタイラス等の棒状物の使用中において、棒状物が大きく後退することなく、ノック誤動作をなくしたノック式繰り出し具における回転繰り出し装置を提供することを目的とする。
【０００５】
さらに、この発明によれば、棒状物の繰り出しが簡単な回転操作によって確実にすることができ、かつ押圧力に対してクッション機能を有するノック式繰り出し具における回転繰り出し装置を提供することを目的とする。
【０００６】
【課題を解決するための手段】
上記目的を達成するために、この発明のノック式繰り出し具における回転繰り出し装置は、軸筒内に摺動可能に設けられた芯部材と、ノック操作によりこの芯部材を作動して軸筒先端開口から突出させる作動手段とからなるノック式繰り出し具において、軸筒の後部に固設された尾冠と、この尾冠に関して長手方向に摺動しかつ回転自在のノック部材と、このノック部材内に設けられかつノック部材の回転操作によりノック部材天面から回転しないで繰り出されるように設けられた棒状物とから構成されてなり、この棒状物のノック部材天面からの突出状態において、棒状物の後退を防止する受け手段を尾冠内に設けてなる。
【０００７】
【発明の実施の形態】
以下、添付図面を用いてこの発明の実施の形態によるノック式繰り出し具における回転繰り出し装置について詳述する。
【０００８】
実施の形態１
図１および図２は、この発明の実施の形態によるノック式繰り出し具における回転繰り出し装置の要部縦断面図であり、図１はノック式繰り出し具及び回転繰り出し装置に棒状物がそれぞれ収納された状態を示し、図２は棒状物がそれぞれ突出された使用状態を示す。図において、符号１は共用部材としての軸筒を示し、この軸筒１内には長手方向に摺動自在にボールペンレフィール等の芯部材２０が設けられており、この芯部材２０は、比較的弾発力の強いリターンスプリング（図示せず）によって後方に付勢されている。
【０００９】
他方、軸筒１の後端部には中空の尾冠本体２１と、これと一体に形成されたクリップ２２とからなる尾冠２が嵌合により固設されている。そして、尾冠本体２１の上部内壁には、受けリブ２３が長手方向に形成されている。さらに、受けリブ２３の前方には係止段部２４が形成されている。
【００１０】
即ち、図３〜図５は、この実施の形態１に用いられる部品の尾冠２を示し、この尾冠２は、筒状の尾冠本体２１と、この尾冠本体２１と一体成形されたクリップ２２とからなる。そして、尾冠本体２１の上部内壁には、長手方向に受けリブ２３が形成されている。この受けリブ２３の基部から下方に向かって後述するカム溝からなる固定カム７が形成されている。
【００１１】
そして、尾冠２の後部内には、ノック部材３が尾冠２に関して回転自在に設けられている。このノック部材３は上下端にそれぞれ開口３１、３２が形成されており、その内周には図７から明らかなようにめねじ３３が形成されている。
【００１２】
即ち、図６と図７とは、この実施の形態１に用いられる部品のノック部材３を示し、このノック部材３は、頂部および底部が共に開口３１、３２を有しており、上部内側にはめねじ３３が形成されてなる。このめねじ３３には、大径係合部８２の螺合突起８３が螺合している。さらに、上部外側には段部３４が形成されており、内周には環状凸部３５が形成されてなる。なお、ノック部材３の下端開口３２から上方に向かってノックリブ３６が形成されている。
【００１３】
さらに、このノック部材３と連結してノックカム４が設けられており、このノックカム４は中間部に内フランジ４１を備え、その内部には比較的弾発力の弱いノックスプリング５が収納されかつ先端部外周には、尾冠２の係止段部２４に係止される係止部４５が設けられている。このノックスプリング５の一端は回転カム６の一端に当接して、回転カム６を前方に付勢している。そして、この回転カムは、尾冠２の内周に形成されたカム溝である固定カム７と係合するカムを有している。
【００１４】
即ち、図８は、この実施の形態１に用いられる部品のノックカム４を示し、その後部に対向して一対のスリット４２が形成されており、このスリット４２よりスタイラス８に設けられた螺合突起８３が突出し、ノック部材３の内周に形成されためねじ３１と螺合している。また、ノックカム４の外壁に複数の突起４３を有し、かつ前端面にカム溝４４を備えている。
【００１５】
なお、図中符号８は、突出自在のスタイラスであり、このスタイラス８は先部のチップ８１と基部の大径係合部８２とから構成されてなる。そして、この大径係合部８２の外壁には、上記ノック部材３のめねじ３３と螺合する複数の螺合突起８３が形成されている。
【００１６】
さらに、図９と図１０とは、この実施の形態１に用いられ部品のスタイラス８を示し、後部外壁に一対の大径係合部８２を有し、さらにこれらの大径係合部８２の外壁には、ノック部材３のめねじ３３と螺合するの複数の螺合突起８３がそれぞれ設けられている。
【００１７】
次に、この発明の実施の形態１によるノック式繰り出し具およびその回転繰り出し装置の動作について説明する。
まず、ノック式繰り出し具のノック操作について述べると、図１の状態では、ノック部材の３のノックリブ３６が尾冠２の受けリブ２３と同軸上に位置していないので、使用に際してノック部材３を操作して芯部材２０の先端部をノック式繰り出し具の先端開口から突出せしめて使用可能とする。即ち、ノック部材３をノックするとスプリングの付勢力に抗してノック部材３が下降する。すると、このノック部材３に連動してノックカム４も下降し、回転カム６のカム部６１が尾冠２の内周に形成されたカム溝である固定カム７に係合して前進せしめられ、芯部材２０が前進突出される。（図２に示す状態）なお、筆記を終えて芯部材２０を軸筒１内に収納する場合には、再度ノック部材３をノックすることによって上記カム機構により、芯部材２０を後退・収納することができる。
【００１８】
次に、回転操り出し装置の操作について述べると、スタイラス８を筆記具後端から突出させて使用状態にするためには、軸筒１またはクリップ２２付き尾冠２を持って固定し、ノック部材３を図１の矢印方向に回転する。すると、スタイラス８の大径係合部８２の外周に形成された螺合突起８３が、ノックカムの４のスリット４２に規制されると共にノック部材３の内周に形成されためねじ３３に螺合して上昇する。そして、スタイラスチップ８１がノック天面開口３１から突出して使用可能となる。この状態では、図２に示すように尾冠２内の受けリブ２３とノック部材３のノックリブ３６とが同軸上に配される。換言すれば、受けリブ２３の端面とノックリブ３６の端面とが少なくとも部分的に重なるような位置に配される。従って、使用中ノック部材３が上下動しないので、スタイラスの使用が確実に行われ、かつスタイラス８に過大押圧力が加わっても、不用意にカム機構を作動して芯部材２０を繰り出したり収納してしまうおそれがない。
【００１９】
なお、スタイラス８の使用状態において、尾冠２内の受けリブ２３とノック部材３のノックリブ３６とを同軸上に配するためには、ノック部材３の回転を止める構造、例えばねじ部を所定位置までにすること等、予め設計上定めておけば良い。
【００２０】
また、スタイラス８の使用時に、同軸上に配されたノック部材３のノックリブ３６と尾冠２の受けリブ２３との間に微小ギャップＧを設けておけば、過大押圧力が棒状物に加わった際にはスタイラス８がクッションするという利点もある。特に、比較的軟らかく傷つきやすい画面をタッチして情報を入力するような場合には、このようなクッション機能は入力画面を損傷しないという効果がある。
【００２１】
実施の形態２
次に、図１１と図１２とは、実施の形態２によるノック式繰り出し具における回転繰り出し装置を示す。この例では、ノックカム４の後部内面に形成されためねじ４５とスタイラス８に形成されたおねじ８４との螺合によって、スタイラス８を上下動させる。この時に、ノック部材３とスタイラス８とは、上下動できるが回転できないようにノック部材３の内面に回り止めリブ３９を形成し、スタイラス８には係止突起８５が形成されている。このような構成においても、実施の形態１と同様に受けリブ２３とノックリブ３６とは、スタイラスチップ８はノック部材３から突出した状態において、スタイラスチップ８１に過大押圧力が加わってもノック部材３が後退しないので、不用意にノック操作が行われてカム機構が誤作動してしまうおそれがない。このような構成においても、上記実施の形態１と同様な効果が得られる。
【００２２】
実施の形態３
さらに、図１３と図１４とは、実施の形態３によるノック式繰り出し具における回転繰り出し装置を示す。この場合、スタイラス８は、底部に係合凹部を有し、係合凹部にノックカムのこの係合凸部が圧入されて一体とされている。そして、ノックスプリング５はノックカム４の内部において、回転カム６の上端面とに当接し、回転カム６を前方に付勢している。この例では、ノックカム４の上部外周に形成されたおねじ４７と、ノック部材３の内面に形成されためねじ３３との螺合によって、ノック部材３を前後動作させる装置である。そして、ノックカム４後端に形成された係止凹部に圧入固定されたスタイラス８を、ノック部材３の回転操作によって突出させることができる。
【００２３】
とりわけ、この装置は、スタイラス８は元の位置のままで、尾冠２に関してノック部材３を回転しながら下方へ移動させることによってスタイラスチップ８１をノック部材３の天面から突出せしめる構成である。即ち、ノック部材３を図中矢印方向に回転せしめると、ノック部材３のめねじ３３とノックカム４のおねじ４７との螺合によって、ノックカム４の基端部の係止部４５が尾冠２内周の係止段部２４に係止されているので、ノック部材３が下降してスタイラスチップ８１がノック部材３の先端から突出せしめられる。この場合、図１４に示すように尾冠２の受けリブ２３とノックカム４のノックリブ３６とは図面左側において同軸上に配されるので、このような構成においても、上記実施の形態１と同様な効果が得られる。
【００２４】
実施の形態４
またさらに、図１５と図１６とは、実施の形態４によるノック式繰り出し具における回転繰り出し装置を示す。ノックカム４の後端面に形成された傾斜カム４９と、スタイラスチップ８の後方に形成された傾斜カム８５との係合によって、スタイラス８を前後動させるものである。この装置では、ノック部材３の内面に回り止めリブ３９が形成され、スタイラス８には回り止めリブ３９に合わせた突起８７が形成され、上下移動するが回転しないようになっている。従って、ノック部材３を回転させることでスタイラス８が上下動する。このような構成においても、上記実施の形態１と同様な効果が得られる。
【００２５】
実施の形態５
さらにまた、図１７と図１８とは、実施の形態５によるノック式繰り出し具における回転繰り出し装置を示す。また、本例は係合突起８７との係合とによって作動させる装置であって、この時に、ノックカム４にはスタイラス８の回り止めのための縦長穴４８があり、その中をスタイラス８の係合突起８７が通過し、ノック部材３に形成された傾斜カム穴３７に入るため、ノック部材３の回転によって、スタイラス８は上下移動する。このような構成においても、上記実施の形態１と同様な効果が得られる。
【００２６】
実施の形態６
次に、図１９と図２０とは、実施の形態６によるノック式繰り出し具における回転繰り出し装置を示す。ノックカム４の上部外周に形成されたおねじ４７とスタイラス８の内径部に形成されためねじ８９との螺合によって、スタイラス８を上下動させる。即ち、ノック部材３を図中矢印方向に回転せしめると、スタイラス８のガイド突起８７がノック部材３の内壁のガイド溝３８に係合しているので、スタイラス８もノック部材３と共に回転されて上昇し、ノック部材３の頂部開口から突出せしめられる。このような例は、実施の形態２と逆の構成であるが、上記実施の形態１と同様な効果が得られる。
【００２７】
実施の形態７
さらに、図２１と図２２とは、実施の形態７によるノック式繰り出し具における回転繰り出し装置を示す。即ち、本例は実施の形態１のスタイラス８をレフィール９に代えたもので、スタイラス以外の棒状物の一例である。即ち、棒状物繰り出し装置の長さに合わせた比較的短めのレフィール９には、レフィールホルダ１０に圧入、カシメ等の方法によって固定されている。そして、このホルダ１０の壁にはノック部材３のめねじ３３と螺合する複数の螺合突起１０１が形成されている。なお、ノック式筆記具として消せるインキを使用するボールペンの場合には、棒状物繰り出し装置には棒状の消しゴムを用いても良い。このような実施の形態７の構成においても、上記実施の形態１と同様な効果が得られる。
【００２８】
この発明のノック式繰り出し具及び回転繰り出し装置が、ボールペン等の筆記具はもとより棒状糊、修正棒、消しゴム等の他の文房具、更にはアイライナー等の棒状化粧品をも含むことは勿論である。
【００２９】
【発明の効果】
この発明は、ノック式繰り出し具の後部に設けられたスタイラスチップ等の棒状物の使用中に、この棒状物に過大な押圧力が加わっても、棒状物が後退して使用困難となることがなく、かつノック誤作動もなくする効果がある。
【００３０】
さらに、この発明によれば、棒状物の繰り出しが簡単な操作によって確実にすることができ、かつ棒状物が過大押圧力に対してクッション機能を有するという効果もある。
【図面の簡単な説明】
【図１】この発明の実施の形態１によるノック式筆記具の要部縦断面図である。
【図２】図１の筆記具の棒状物繰り出し状態を示す断面図である。
【図３】図１のクリップ付き尾冠の平面図である。
【図４】図３のＡ−Ａ線に沿う断面図である。
【図５】図４のＢ−Ｂ線に沿う断面図である。
【図６】図１のノック部材の底面図である。
【図７】図６のノック部材のＣ−Ｃ線に沿う断面図である。
【図８】図１のノックカムの正面図である。
【図９】図１のスタイラスの正面図である。
【図１０】図９のスタイラスの側面図である。
【図１１】この発明の実施の形態２によるノック式筆記具の要部縦断面図である。
【図１２】図１１の筆記具の棒状物繰り出し状態を示す断面図である。
【図１３】この発明の実施の形態３によるノック式筆記具の要部縦断面図である。
【図１４】図１３の筆記具の棒状物繰り出し状態を示す断面図である。
【図１５】この発明の実施の形態４によるノック式筆記具の要部縦断面図である。
【図１６】図１５の筆記具の棒状物繰り出し状態を示す断面図である。
【図１７】この発明の実施の形態５によるノック式筆記具の要部縦断面図である。
【図１８】図１７の筆記具の棒状物繰り出し状態を示す断面図である。
【図１９】この発明の実施の形態６によるノック式筆記具の要部縦断面図である。
【図２０】図１９の筆記具の棒状物繰り出し状態を示す断面図である。
【図２１】この発明の実施の形態７によるノック式筆記具の要部縦断面図である。
【図２２】図２１の筆記具の棒状物繰り出し状態を示す断面図である。
【符号の説明】
１  軸筒
２  尾冠
２１  尾冠本体
２２  クリップ
２３  受けリブ
２４  係止段部
３  ノック部材
３１，３２  開口
３３  めねじ
３４  段部
３５  環状凸部
３６  ノックリブ
３７  傾斜カム穴
３８  ガイド溝
３９  回転止め用リブ
４  ノックカム
４１  内フランジ
４２  スリット
４３  突起
４４  カム溝
４５  係止部
４６  めねじ
４７  おねじ
４８  長穴
４９  傾斜カム
５  ノックスプリング
６  回転カム
７  固定カム
８  スタイラス
８１  スタイラスチップ
８２  大径係合部
８３  螺合突起
８４  おねじ
８５  傾斜カム
８６  長穴
８７  係合突起
８８  回り止め用リブ
８９  めねじ
９  レフィール
１０  レフィールホルダ
１０１  螺合突起
２０  芯部材
Ｇ  ギャップ
【図１】
2004322357.tif 000003
【図２】
2004322357.tif 000004
【図３】
2004322357.tif 000005
【図４】
2004322357.tif 000006
【図５】
2004322357.tif 000007
【図６】
2004322357.tif 000008
【図７】
2004322357.tif 000009
【図８】
2004322357.tif 000010
【図９】
2004322357.tif 000011
【図１０】
2004322357.tif 000012
【図１１】
2004322357.tif 000013
【図１２】
2004322357.tif 000014
【図１３】
2004322357.tif 000015
【図１４】
2004322357.tif 000016
【図１５】
2004322357.tif 000017
【図１６】
2004322357.tif 000018
【図１７】
2004322357.tif 000019
【図１８】
2004322357.tif 000020
【図１９】
2004322357.tif 000021
【図２０】
2004322357.tif 000022
【図２１】
2004322357.tif 000023
【図２２】
2004322357.tif 000024